(57)【要約】【課題】設置空間内の動体の位置を把握し、その位置情報に基づいて殺菌成分の放出領域をコントロールし、設置空間の効率的な殺菌が可能な空気調和機を得る。【解決手段】設置空間内に動体が存在するか否かを検出するとともに、動体が存在する場合にはその位置情報を検出する動体検知手段３０と、リモコン６０で殺菌運転が指示された際に、人体に長時間照射されると有害となる殺菌成分を設置空間内に向けて放出する放出手段４０と、殺菌成分の放出方向を変更する放出方向変更手段５０と、放出方向変更手段５０の放出方向を制御する制御手段７０とを備え、制御手段７０は、リモコン６０により殺菌運転が指示されると、動体検知手段３０の検出結果をチェックし、設置空間内に動体が存在する場合には、動体の位置情報に基づいて動体の存在位置を避けて設置空間内に放出手段４０の殺菌成分が放出されるように放出方向変更手段５０を制御する。【選択図】図１
2009014259.tif 000002
【特許請求の範囲】
【請求項１】
調和された空気を設置空間内に供給する空気調和機において、
所定の空調運転モードの運転を行う空調手段と、
設置空間内に動体が存在するか否かを検出するとともに、動体が存在する場合にはその位置情報を検出する動体検知手段と、
空気調和機に対する運転指示を設定するための設定手段と、
前記設定手段で殺菌運転が指示された際に、殺菌成分を設置空間内に向けて放出する放出手段と、
放出手段の前記殺菌成分の放出方向を変更する放出方向変更手段と、
前記放出方向変更手段の放出方向を制御する制御手段とを備え、
前記制御手段は、前記設定手段により殺菌運転が指示されると、前記動体検知手段の検出結果をチェックし、設置空間内に動体が存在する場合には、その位置情報に基づいて動体の存在位置を避けて設置空間内に前記放出手段の殺菌成分が放出されるように前記放出方向変更手段を制御することを特徴とする空気調和機。
【請求項２】
設置空間内の湿度を検出する湿度検出手段を更に備え、前記制御手段は、殺菌運転が指示された際、前記動体検知手段の検出結果をチェックを行う前に、前記湿度検出手段で検出された湿度が予め設定された閾値以上か否かを判断し、閾値以上であるとき、前記動体検知手段の検出結果のチェックを行い、閾値未満のとき、殺菌運転を終了することを特徴とする請求項１記載の空気調和機。
【請求項３】
前記制御手段は、前記設置空間内に動体が存在しない場合には、設置空間全体にわたって前記殺菌成分が放出されるように前記放出方向変更手段を制御することを特徴とする請求項１又は請求項２記載の空気調和機。
【請求項４】
前記放出方向変更手段は、左右の風向を制御する左右風向制御手段であることを特徴とする請求項１乃至請求項３の何れかに記載の空気調和機。
【請求項５】
使用者の個人識別情報を取得し、取得した個人識別情報と予め登録された個人識別情報とを照合する個人識別手段を更に備え、また、前記設定手段は、前記殺菌成分の放出条件を設定変更可能に構成されており、前記制御手段は、前記個人識別手段の照合結果が一致の場合、前記設定手段からの前記殺菌成分の放出条件の設定変更を受け付けることを特徴とする請求項１乃至請求項４の何れかに記載の空気調和機。
【請求項６】
前記殺菌成分の放出条件は、放出方向及び／又は放出量であることを特徴とする請求項５記載の空気調和機。
【請求項７】
前記放出手段の前記殺菌成分の放出方向を前記設置空間内に代えて空気調和機本体内に切り替える切り替え手段を有し、前記殺菌成分を前記空気調和機本体内に向けて放出することで前記空気調和機本体内の殺菌を可能としたことを特徴とする請求項１乃至請求項６の何れかに記載の空気調和機。
【請求項８】
前記放出手段を、空気調和機本体内の上下方向に移動可能な手段を有することを特徴とする請求項７記載の空気調和機。
【請求項９】
前記空気調和機本体内を殺菌するタイミングは、空気調和機の不使用時又は殺菌運転の停止時としたことを特徴とする請求項７又は請求項８記載の空気調和機。
【請求項１０】
前記殺菌成分は紫外線であることを特徴とする請求項１乃至請求項９の何れかに記載の空気調和機。
【請求項１１】
外部端末と通信可能なネットワーク通信手段を備え、前記殺菌運転の開始・停止及び放出量の制御を前記外部端末から制御できるようにしたことを特徴とする請求項１乃至請求項１０の何れかに記載の空気調和機。
【発明の詳細な説明】
【技術分野】
【０００１】
この発明は、空気調和機に関し、更に詳しくは、設置空間に殺菌成分を放出する機能を備えた空気調和機に関するものである。
【背景技術】
【０００２】
従来、設置空間に殺菌成分を放出する装置として、例えば、外部にオゾンを発生するオゾンランプと、人体の接近を検知する人センサーと、オゾン発生中に人センサーが検知するとオゾンランプを停止する制御回路とを備え、人を検知するとオゾン発生を停止する装置がある（例えば、特許文献１参照）。
【０００３】
【特許文献１】特開平８−２６６６１２号公報（第３頁）
【発明の開示】
【発明が解決しようとする課題】
【０００４】
上記従来の装置では、人センサーによって人体を検知しているが、広域全体に人体が存在するかどうかを検出するものであり、装置に対してどの方向、どの場所に人体が存在するかは不明であるため、広域全体のどこかに人体が存在した時点で放出を停止するものであった。そして、人センサーによる人体の検知を広域にわたって行っているため、誤検知してしまう可能性も高く、そうした場合、必要以上に頻繁に人体を検出し、その度に放出が停止して殺菌効果が低下する可能性があった。また、オゾンの放出範囲（照射範囲）を部屋全体などの広域を対象としているため、対象エリアを限定できず、無駄に放出してしまう可能性があった。
【０００５】
この発明は上記のような問題点を解消するためになされたもので、設置空間内の動体の位置を把握し、その位置情報に基づいて殺菌成分の放出領域をコントロールし、設置空間の効率的な殺菌が可能な空気調和機を得ることを目的とする。
【課題を解決するための手段】
【０００６】
本発明に係る空気調和機は、調和された空気を設置空間内に供給する空気調和機において、所定の空調運転モードの運転を行う空調手段と、設置空間内に動体が存在するか否かを検出するとともに、動体が存在する場合にはその位置情報を検出する動体検知手段と、空気調和機に対する運転指示を設定するための設定手段と、設定手段で殺菌運転が指示された際に、殺菌成分を設置空間内に向けて放出する放出手段と、放出手段の殺菌成分の放出方向を変更する放出方向変更手段と、放出方向変更手段の放出方向を制御する制御手段とを備え、制御手段は、設定手段により殺菌運転が指示されると、動体検知手段の検出結果をチェックし、設置空間内に動体が存在する場合には、その位置情報に基づいて動体の存在位置を避けて設置空間内に放出手段の殺菌成分を放出するように放出方向変更手段を制御するものである。
【発明の効果】
【０００７】
この発明によれば、殺菌成分を、人体や動物などの動体を避けて居住空間内に放出することができ、居住空間の効率的な殺菌が可能な空気調和機を得ることができる。
【発明を実施するための最良の形態】
【０００８】
実施の形態１．
以下、この発明の実施の形態１について説明する。図１は、実施の形態１の空気調和機の内部構成を示すブロック図、図２は、実施の形態１の空気調和機の室内機の外観概略斜視図である。
図２に示すように、空気調和機は、空気調和機本体１と、空気調和機本体１下側の空気吹出口２を開閉するとともに上下方向の風向制御を行う上下風向制御羽根３と、左右方向の風向制御を行う左右風向制御羽根４とにより外観部分が形成されている。また、空気調和機本体１内には、人体に長時間照射されると有害となる殺菌成分を設置空間（居住空間）内に向けて放出する放出手段４０が設けられている。この放出手段４０の詳細な構成については後述する。
【０００９】
また、図１に示すように、空気調和機は、空調手段１０と、居住空間の温度・湿度を検出する温度・湿度検出手段２０と、動体検知手段３０と、放出手段４０と、放出方向変更手段５０と、空気調和機に対する運転指示や、各種操作設定を行う設定手段６０と、マイクロコンピュータで構成され、空気調和機全体の制御を行う制御手段７０とを備えている。
【００１０】
空調手段１０は、設定手段６０で設定された空調運転モード（冷房運転、暖房運転、除湿運転及び送風運転）に応じた空調運転を行う手段で、温度・湿度検出手段２０で検出された居住空間の温度及び湿度が、設定温度及び湿度となるように空調気体を調節して居住空間に供給するまでの一連の動作を行う。なお、冷房運転、暖房運転、除湿運転及び送風運転のための具体的な構成については従来公知の構成を採用でき、この構成部分に関しては、本発明の趣旨とは関連性がないので詳細説明は省略する。
【００１１】
動体検知手段３０は、居住空間内に動体が存在するか否かを検出するとともに、動体が存在する場合にはその位置情報を検出するもので、具体的には例えば、温度変化に応じて出力が変化する焦電センサや、絶対温度を検知できるサーモパイルセンサやＣＭＯＳカメラ、ＣＣＤカメラで構成される。
【００１２】
一般的に、動体検知素子としては焦電センサを使用することが多いが、サーモパイルセンサやカメラを使用することもでき、この場合は、連続で入力した情報の変化を監視しておき、変化が発生すれば動きがあったと判断できる。
【００１３】
特に、カメラは解像度が細かいため微小な動体変化を検知でき、撮影情報である輝度と色度のうち輝度情報の変化が顕著であるという特徴から、輝度情報だけを使用してその変化により動体を検出すれば動体検知に必要な情報量も軽減できるため処理を高速にすることができる。
【００１４】
また、カメラは複数の撮影素子が集積しているため素子ごとに変化情報を検出すれば、どの素子、つまりどの場所に動体が存在するか判断できる。これに対して、焦電センサやサーモパイルセンサは一般的に１素子で検出エリア全体の動きや温度を検出するものであるが、複数素子で使用することでセンサの検出エリアを特定でき、設置空間のどの場所に動体が存在しているか推測することができる。
【００１５】
このように、本例の動体検知手段３０は、複数のセンサ素子を使用したり、単数のセンサ素子を走査して複数素子相当として使用することで居住空間内の動体の位置を特定するものである。そして、動体検知手段３０で得られた動体の位置情報は、制御手段７０に送信される。
【００１６】
放出手段４０は、設定手段６０により殺菌運転が指示された際に、人体に長時間照射されると有害となる殺菌・除菌成分（以下、単に殺菌成分という）を設置空間内に向けて放出する手段であり、殺菌成分は、例えば、風邪ウィルスや病原菌を除菌、殺菌したり、消臭を行う紫外線がある。
【００１７】
放出方向変更手段５０は、制御手段７０からの制御信号に基づいて放出手段４０の殺菌成分の放出方向を変更する手段であり、本例では、空気調和機に既存の左右風向制御羽根４を放出方向変更手段５０として兼用している。すなわち、左右風向制御羽根４に、放出手段４０の放出口（紫外線照射口）を配置することで、風向の変更に連動して放出方向を変更するようにしている。なお、風向変更の機構が上下左右自在に動くものであれば、その機構に放出口（紫外線照射口）を配置することで自在な方向に放出方向の変更が可能である。
【００１８】
設定手段６０は、空気調和機に対する運転指示を設定するための手段であり、具体的にはリモコン６０で構成される。
【００１９】
図３は、リモコンの正面図である。
リモコン６０は、現在の設定内容を表示する表示部６１と、「冷房」設定ボタン６２と、「暖房」設定ボタン６３と、「除湿」設定ボタン６４と、風量を設定する風量設定ボタン６５と、上下方向の風向を設定する上下風向設定ボタン６６と、空気調和機の電源をオフや、殺菌運転の停止を指示する「止」ボタン６７と、殺菌運転を指示する「殺菌」設定ボタン６８とを備えている。表示部６１には、左上から反時計周りに運転モード、現在温度（或いは設定温度）、殺菌運転中であることを示すマーク、現在の風量段階を示すインジケータ、現在湿度、現在時刻が表示されている。殺菌運転中であることを示すマークとして、図３では、洗濯物の絵を表示させている。
【００２０】
制御手段７０は、リモコン６０からの設定信号を受信するとともに、動体検知手段３０からの動体の位置情報を受信し、受信した情報に基づいて、空調手段１０、放出方向変更手段５０や放出手段４０の制御を行う。ここで、本例は、殺菌運転が指示された場合に、動体の位置を避けて殺菌成分を放出することに特徴を有するものであり、制御手段７０は、殺菌運転が指示された場合、動体検知手段３０の検出結果をチェックし、設置空間内に動体が存在する場合には、その位置情報に基づいて動体の存在位置を避けて設置空間内に放出手段４０の殺菌成分を放出するように放出方向変更手段５０を制御するようにしている。
【００２１】
以下、実施の形態１の空気調和機の動作を説明する。
図４は、実施の形態１の空気調和機の殺菌運転の動作を示すフローチャートである。ここでは、放出手段４０から紫外線を放出して居住空間内を殺菌する場合を例に説明する。
【００２２】
使用者により、リモコン６０の「殺菌」設定ボタン６８が押下されて殺菌運転の開始が指示されると、リモコン６０は、殺菌運転中であることを示すマークを表示部６１に表示するとともに、殺菌運転指示信号を含む設定信号を空気調和機に送信する。リモコン６０から送信される設定信号には、リモコン６０の表示部６１に表示されている現在の各種設定情報（空調運転モード、目標温度、目標風量など）が含まれている。空気調和機の制御手段７０は、設定信号を受信すると、殺菌運転の開始が指示されたことを認識し（Ｓ１）、続いて動体検知手段３０により居住空間内の動体検知を開始する（Ｓ２）。そして、動体検知結果に基づいて放出方向変更手段５０を制御して放出方向をコントロールするとともに（Ｓ３）、放出手段４０を駆動する（Ｓ４）。すなわち、居住空間内に動体が存在しなければ、居住空間の広域に紫外線が照射されるように左右風向制御羽根４を制御する。一方、居住空間内に動体が存在する場合、制御手段７０は、動体検知手段３０からの動体位置情報に基づき動体の位置を特定し、その位置を避けて紫外線が照射されるように左右風向制御羽根４を制御する。なお、紫外線の照射を避けきれない位置に動体が存在すると判断した場合には放出手段４０を停止する。
【００２３】
上記ステップＳ２〜Ｓ４の動作を「止」ボタン６７の押下による殺菌運転の停止が指示されるまで繰り返し行い（Ｓ５）、「止」ボタン６７が押下されると、放出手段４０を停止する（Ｓ６）。
【００２４】
このように、本実施の形態１によれば、動体検知手段３０により動体の位置を特定し、動体の存在する位置を避けて紫外線を照射するようにしたので、長時間使用すると人体に有害である紫外線を、人体や動物に照射することなく効率的に安全に安心して居住空間内に放出することができる。その結果、快適で清潔な室内環境を提供することが可能となる。
【００２５】
また、放出手段４０の放出口（紫外線照射口）を左右風向制御羽根４に配置し、空気調和機に既存の左右風向制御羽根４を放出方向変更手段５０として兼用するようにしたので、新たな機構の追加を行うことなく、人体を避けて安全に効率良く殺菌成分を放出することが可能な空気調和機を構成できる。
【００２６】
なお、本例では、「殺菌」設定ボタン６８を１回押すことで殺菌運転の開始を指示するようにしているが、２回押すことで放出量を増やすようにしてもよく、また、更にもう１回押す、すなわち３回押すことで殺菌運転の停止を指示するというように、サイクリックな仕組みにしてもよい。
【００２７】
実施の形態２．
実施の形態１では、設置空間の湿度環境を特に考慮することなく、殺菌運転が指示された場合には殺菌成分を放出するようにしていたが、実施の形態２では、設置空間の湿度環境を考慮して、殺菌成分の放出を効果的に行うようにしたものである。
【００２８】
実施の形態２の空気調和機の構成は、実施の形態１と同様であるためここではその構成の説明は省略する。
【００２９】
図５は、実施の形態２の空気調和機の殺菌運転の動作を示すフローチャートである。図５において図４に示した実施の形態１と同一処理部分には同一符号を付している。ここでは、洗濯物を部屋干しするために室内に洗濯物が干され、放出手段４０から紫外線を放出して洗濯物を殺菌する場合を例に説明する。また、ここでは空調運転モードが除湿モードに設定されているものとする。
【００３０】
使用者により、リモコン６０の「除菌」ボタンが押下されて殺菌運転の開始が指示されると、リモコン６０は、殺菌運転中であることを示すマークを表示部６１に表示するとともに、殺菌運転指示信号を含む設定信号を空気調和機に送信する。リモコン６０から送信される設定信号には、リモコン６０の表示部６１に表示されている現在の各種設定情報（空調運転モード、目標温度、目標風量など）が含まれている。空気調和機の制御手段７０は、設定信号を受信すると、殺菌運転の開始が指示されたことを認識し（Ｓ１）、温度・湿度検出手段２０による検出湿度が予め設定された閾値（例えば湿度４５％）以上であるか否かをチェックする（Ｓ１ａ）。予め設定された閾値以上であれば、続いて動体検知手段３０により居住空間内の動体検知を開始する（Ｓ２）。それ以降の動作は、実施の形態１と同様であり、動体検知結果に基づいて放出方向変更手段５０を制御して放出方向をコントロールするとともに（Ｓ３）、放出手段４０を駆動する（Ｓ４）。
【００３１】
ここで、一般的に、洗濯物は乾燥開始初期に悪臭成分が発生しやすく、乾燥前の洗濯物が室内空間内に搬入された場合、温度・湿度検出手段２０が検出する室内湿度が上昇する。このため、上述したように、検出湿度が予め設定された閾値以上のときに紫外線の照射を行うようにすることにより、すなわち、紫外線照射が効果的に作用するタイミングで紫外線照射を行うことにより、悪臭の発生を抑制することが可能になるとともに、無駄なく効率的に紫外線照射を行うことが可能となる。特に放出成分が紫外線の場合、被照射物に対する変色作用があるため、必要時のみ放出することで室内物品の劣化、変色を抑止できる。
【００３２】
そして、洗濯物の乾燥が進み、検出湿度が閾値よりも低下すると、放出手段４０の駆動を停止する（Ｓ６）。なお、「止」ボタンが押されるなどして殺菌運転の停止指示がされた場合にも（Ｓ５）、放出手段４０の駆動を停止する（Ｓ６）。
【００３３】
このように、本実施の形態２によれば、実施の形態１と同様の作用効果が得られるとともに、湿度の検出結果に基づいて放出手段４０の駆動開始・停止を制御するようにしたので、居住空間の湿度環境を考慮した効率的な紫外線照射が可能となる。すなわち、紫外線の照射が効果的な湿度のときに放出手段４０を駆動するように設定することにより、紫外線照射を無駄なく効率的に行うことができる。なお、検出湿度が高い場合には紫外線量を増やす等、検出湿度に応じて紫外線量を制御するようにしてもよく、この場合、更に効果的な殺菌が可能となる。
【００３４】
また、紫外線によって太陽光と類似の殺菌効果を得ることができるため、殺菌運転と除湿運転とを組み合わせて行うことにより、洗濯物を室外で太陽干しするのと同様の殺菌効果を室内での部屋干しでも得ることが可能となる。また、室外に干す手間を省くことができ、通行者に見られる心配も無くなる。特に洗濯物を外に干せない梅雨の時期の利用効果は大きい。
【００３５】
なお、洗濯物は空気調和機より下方に位置するため、紫外線の照射範囲は水平あるいはそれより下方向が望ましい。このため、制御手段７０は、現在の風向設定が上方であれば風向設定を１ランク下方に下げるように制御すると更に効果的である。なお、この場合は、左右方向だけでなく上下方向にも風向制御が可能な風向制御手段に放出手段４０を配置する必要がある。また、除湿の観点から、除湿風は居住空間全体に行き渡るように、やや強めあるいは強風であることが望ましい。このため、制御手段７０は、現在の風量設定が予め設定された風量レベルより弱ければ現在の風量を１ランク強くなるように制御すると、除湿効果を更に高めることができる。
【００３６】
また、この実施の形態２では、殺菌運転の利用形態として、洗濯物の乾燥の例を挙げて説明したが、このような利用形態に限らず、カビや雑菌対策として利用するようにしてももちろん良い。
【００３７】
実施の形態３．
上記実施の形態１，２において、殺菌運転の際には、動体を避けることが可能な位置を空気調和機側が自動で判断し、その位置に向けて紫外線を照射するようにしているが、使用者自身で照射位置を調整したい場合もある。そこで、実施の形態３は、予め登録された許可者に対しては、照射方向を自由に変更したり、照射強度を調整できる等、空気調和機による自動制御を解除し、放出条件（放出方向及び／又は放出量）の設定変更を行える権限を与えるようにしたものである。
【００３８】
図６は、実施の形態３の空気調和機の内部構成を示すブロック図である。
実施の形態３の空気調和機は、図１に示した実施の形態１の空気調和機に、更に個人識別手段８０を設けたもので、それ以外の構成は実施の形態１と同様である。
個人識別手段８０は、リモコン６０に設けた後述の個人識別情報取得手段６９で取得された個人識別情報を、予め登録された許可者の識別情報と照合し、照合結果を制御手段７０に通知する手段である。
【００３９】
図７は、実施の形態３の空気調和機で使用されるリモコン６０の一例を示す図である。  実施の形態３のリモコン６０は、図３に示した実施の形態１のリモコン６０に、更に使用者の個人識別情報（指紋やＩＤなど）を取得する個人識別情報取得手段６９と、左右方向の風向を設定する左右風向設定ボタン６６ａとを備えたものである。個人識別情報取得手段６９は、図７には使用者の指紋を取得する指紋取得手段の例を示している。
【００４０】
このように構成された実施の形態２の空気調和機では、個人識別情報取得手段６９で取得された指紋情報が、リモコン６０から空気調和機に送信され、空気調和機の個人識別手段８０は、リモコン６０からの指紋情報と、予め登録された指紋情報とを照合し、照合結果を制御手段７０に通知する。制御手段７０は、一致するとの照合結果を受け取った場合には、それ以降のリモコン６０からの放出条件（放出方向及び／又は放出量）の設定変更を受け付ける。すなわち、左右風向設定ボタン６６ａの操作による放出方向の変更や、「殺菌」設定ボタン６８の２回押しによる放出量の増加指示を受け付ける。一方、一致しないとの照合結果の場合には、リモコン６０からの設定変更の指示を無効とする。なお、殺菌運転の具体的な制御は、上記実施の形態１と同様である。
【００４１】
このように、実施の形態３によれば、予め登録された許可者からの放出条件（放出方向及び／又は放出量）の設定変更を受け付けるようにしたので、許可者は、放出条件の調整を行うことができ、期待する殺菌動作を実現することができる。なお、この自動制御の解除は、許可者のみが行えるため、許可者でない子供や老人、ペットなどが誤って解除動作を行うのを防ぐことができ、誤操作による事故を防ぐことができる。
【００４２】
なお、上記実施の形態１〜３では、設定手段６０としてリモコン６０の場合を説明したが、リモコン６０に限られたものではなく、手の届きにくい空気調和機本体１に搭載されていてもよい。
【００４３】
実施の形態４．
上記実施の形態１〜３では、空気調和機から設置空間に向けて殺菌成分を放出するようにしていたが、実施の形態４では、放出手段４０の放出方向を空気調和機の外部（設置空間）と内部とに切り替える機構を更に設け、空気調和機内部の殺菌も可能としたものである。
【００４４】
放出手段４０の放出方向を空気調和機内部方向へ切り替える機構は、任意の機構を採用することができ、例えば、図８に示す切り替え機構１００は、回転軸１０１と回転軸１０１と一体に回転する取り付け板１０２とを有し、取り付け板１０２に放出手段４０を配置し、回転軸１０１を図示矢印Ａ方向に回転することで、放出方向を空気調和機の外部（設置空間）と内部とに切り替えられるようにしたものである。
【００４５】
この図８の機構を左右風向制御羽根４に配置することにより、実施の形態１と同様に、動体の存在位置を避けて殺菌成分の放出を行うことが可能になると共に、空気調和機内部の殺菌も行うことが可能となる。
【００４６】
空気調和機内部の殺菌を行うタイミングは任意であるが、例えば、空気調和機の不使用時や殺菌運転の停止時に行うようにすれば、放出手段４０の稼働効率を下げることなく、内部殺菌が可能である。また、内部殺菌運転の開始は、上記タイミングで定期的に自動で行うようにしてもよいし、設定手段６０に内部殺菌運転を指示するボタンを新たに設け、手動で行うようにしてもよい。
【００４７】
このように、実施の形態４では、放出手段４０の放出方向を空気調和機内部方向へ切り替える切り替え機構１００を設け、空気調和機内部の殺菌も行えるようにしたので、空気調和機内部を簡便に清潔にすることができ、空気調和機内部の雑菌成分を居住空間内に拡散させることなく清潔な風を供給することが可能となる。
【００４８】
また、図９に示すように、空気調和機本体１の内部で上下方向に延び、切り替え機構１００の回転軸１０１を上下方向に移動可能に支持する可動レール１１０を設け、放出手段４０を空気調和機の内部で上下方向に移動させるようにしてもよい。この場合、空気調和機内部の熱交換器など内部でカビや雑菌の繁殖しやすい場所も殺菌でき、空気調和機内部を満遍なく殺菌することができる。
【００４９】
なお、上記実施の形態１〜４では、放出成分を紫外線として説明したが、紫外線に限られたものではなく、他の殺菌成分でも良い。また、殺菌成分としては紫外線のような光に限られず、液体でもよく、液体を噴霧して殺菌を行うようにしてもよい。
【００５０】
また、図１０のように、空気調和機に、携帯電話やパソコンなどの各種端末とインターネットなどのネットワークを介して通信を行うネットワーク手段９０を更に設け、携帯電話やパソコンなど各種端末を使用して、放出手段４０の運転・停止や放出量を遠隔からコントロールするようにしてもよい。これにより、別荘や長期留守宅も容易に殺菌でき、雑菌やカビを発生させることなく室内又は空気調和機内を清潔に維持できる。
【図面の簡単な説明】
【００５１】
【図１】実施の形態１の空気調和機の内部構成を示すブロック図である。
【図２】実施の形態１の空気調和機の室内機の外観概略斜視図である。
【図３】リモコンの正面図である。
【図４】実施の形態１の空気調和機の殺菌運転の動作を示すフローチャートである。
【図５】実施の形態２の空気調和機の殺菌運転の動作を示すフローチャートである。
【図６】実施の形態３の空気調和機の内部構成を示すブロック図である。
【図７】実施の形態３の空気調和機で使用されるリモコンの一例を示す図である。
【図８】実施の形態４の空気調和機の放出手段の放出方向を空気調和機内部方向へ切り替える機構の一例を示す図である。
【図９】実施の形態４の空気調和機の放出手段の移動機構の一例を示す図である。
【図１０】空気調和機の他の構成を示す図である。
【符号の説明】
【００５２】
１  空気調和機本体、４  左右風向制御羽根、１０  空調手段、２０  温度・湿度検出手段、３０  動体検知手段、４０  放出手段、５０  放出方向変更手段、６０  設定手段（リモコン）、６５  風量設定ボタン、６６ａ  左右風向設定ボタン、６７  ボタン、６８  「殺菌」設定ボタン、６９  個人識別情報取得手段（指紋取得手段）、７０  制御手段、８０  個人識別手段、９０  ネットワーク手段。
【図１】
2009014259.tif 000003
【図２】
2009014259.tif 000004
【図３】
2009014259.tif 000005
【図４】
2009014259.tif 000006
【図５】
2009014259.tif 000007
【図６】
2009014259.tif 000008
【図７】
2009014259.tif 000009
【図８】
2009014259.tif 000010
【図９】
2009014259.tif 000011
【図１０】
2009014259.tif 000012